(57)【特許請求の範囲】
【請求項１】
隣接して配置された第１の棒状部材と第２の棒状部材とを連結する連結具において、
前記両棒状部材の外周部に遊嵌するとともに、両棒状部材を挿通する挿通部が開口した外側部材と、
前記両棒状部材間に配置され、両棒状部材に沿って移動して前記外側部材の内側に配設した状態で、該外側部材の内側空間を、前記第１の棒状部材を保持する第１の保持部と前記第２の棒状部材を保持する第２の保持部とに区画する内側部材と、
により構成したことを特徴とする連結具。
【請求項２】
前記内側部材を前記外側部材の内側に配設した状態で、前記第１及び第２の保持部側に位置する前記内側部材の側面に、前記両保持部に保持された各棒状部材に沿って延在する凹部を設けたことを特徴とする請求項１記載の連結具。
【請求項３】
前記内側部材を前記外側部材の内側に配設した状態で、前記第１及び第２の保持部側に位置する前記外側部材の内側面を、前記両保持部に保持された各棒状部材の周面に沿った湾曲状に形成したことを特徴とする請求項１又は２記載の連結具。
【請求項４】
前記内側部材を前記外側部材の内側に配置した状態で、当該内側部材の移動を規制する規制手段を設けたことを特徴とする請求項１、２又は３記載の連結具。
【請求項５】
複数のパネルの組み合わせからなり、隣接して配置された一方のパネルの縁部を形成する第１の棒状部材と、他方のパネルの縁部を形成する第２の棒状部材とが連結具により連結されたペット用包囲具において、
前記連結具を、
前記両棒状部材の外周部に遊嵌するとともに、両棒状部材を挿通する挿通部が開口した外側部材と、
前記両棒状部材間に配置され、両棒状部材に沿って移動して前記外側部材の内側に配設した状態で、該外側部材の内側空間を、前記第１の棒状部材を保持する第１の保持部と前記第２の棒状部材を保持する第２の保持部とに区画する内側部材と、
により構成したことを特徴とするペット用包囲具。
【請求項６】
前記内側部材を前記外側部材の内側に配設した状態で、前記第１及び第２の保持部側に位置する前記内側部材の側面に、前記両保持部に保持された各棒状部材に沿って延在する凹部を設けたことを特徴とする請求項５記載のペット用包囲具。
【請求項７】
前記内側部材を前記外側部材の内側に配設した状態で、前記第１及び第２の保持部側に位置する前記外側部材の内側面を、前記両保持部に保持された各棒状部材の周面に沿った湾曲状に形成したことを特徴とする請求項５又は６記載のペット用包囲具。
【請求項８】
前記内側部材を前記外側部材の内側に配置した状態で、当該内側部材の移動を規制する規制手段を設けたことを特徴とする請求項５、６又は７記載のペット用包囲具。
【発明の詳細な説明】
【０００１】
【発明の属する技術分野】
本発明は、隣接した棒状部材同士を連結する連結具及び該連結具を使用したペット用包囲具に関する。
【０００２】
【従来の技術】
従来、室内で猫などのペットを飼う際には、図９に示すようなペットケージ１０１が用いられていた（実用新案登録第３０５１４５１号公報参照）。
【０００３】
このペットケージ１０１は、底部を形成するトレイ１１１と、該トレイ１１１に取り付けられたケージ本体１１２とにより構成されている。該ケージ本体１１２は、格子状に組まれたスチール線１１３，・・・からなるパネル１１４が複数組み合わされてなり、各パネル１１４，・・・は、隣接する縁部同士がコイル状部材１１５によって連結されている。
【０００４】
すなわち、このコイル状部材１１５によって隣接したパネル１１４，１１４同士を連結する際には、コイル状部材１１５の巻始めの開放端１２１を、前記両パネル１１４，１１４の縁部を形成するスチール線１１３，１１３に掛けたまま当該コイル状部材１１６を回転させる。これにより、両スチール線１１３，１１３は、コイル状部材１１５の中空部分を挿通した状態で、互いに連結されるように構成されている。
【０００５】
【発明が解決しようとする課題】
しかしながら、このようなコイル状部材１１５からなる連結具にあっては、隣接したスチール線１１３，１１３同士を連結する際に、コイル状部材１１５の開放端１２１を両スチール線１１３，１１３に掛けたまま回転させなければならず、連結作業に苦労を要した。
【０００６】
本発明は、このような従来の課題に鑑みてなされたものであり、隣接した棒状部材の連結を容易に行うことができる連結具及びペット用包囲具を提供することを目的とするものである。
【０００７】
【課題を解決するための手段】
前記課題を解決するために本発明の請求項１の連結具にあっては、隣接して配置された第１の棒状部材と第２の棒状部材とを連結する連結具において、前記両棒状部材の外周部に遊嵌するとともに、両棒状部材を挿通する挿通部が開口した外側部材と、前記両棒状部材間に配置され、両棒状部材に沿って移動して前記外側部材の内側に配設した状態で、該外側部材の内側空間を、前記第１の棒状部材を保持する第１の保持部と前記第２の棒状部材を保持する第２の保持部とに区画する内側部材と、により構成した。
【０００８】
すなわち、隣接する第１の棒状部材と第２の棒状部材とを連結する際には、前記棒状部材の側部に外側部材を配置するとともに、該外側部材の挿通部より両棒状部材を挿通して、当該外側部材を前記両棒状部材の外周部に遊嵌する。
【０００９】
一方、前記両棒状部材の他の部位において、両棒状部材間に内側部材を配置する。そして、この内側部材を、両棒状部材に沿って移動して、前記外側部材の内側に配設し、前記外側部材の内側空間を、前記第１の棒状部材を保持する第１の保持部と、前記第２の棒状部材を保持する第２の保持部とに区画する。
【００１０】
なお、本発明において、内側部材を、「両棒状部材に沿って移動して前記外側部材の内側に配設する」なる記載は、内側部材が両棒状部材間にて移動できるように配置されることを意味するものであり、外側部材を内側部材側へ移動して当該外側部材の内側に内側部材を配設しても良い。
【００１１】
これにより、前記第１の棒状部材は、前記外側部材と内側部材との間に形成される第１の保持部に保持される。また、前記第２の棒状部材は、前記外側部材と内側部材との間に形成される第２の保持部に保持される。
【００１２】
また、請求項２の連結具においては、前記内側部材を前記外側部材の内側に配設した状態で、前記第１及び第２の保持部側に位置する前記内側部材の側面に、前記両保持部に保持された各棒状部材に沿って延在する凹部を設けた。
【００１３】
すなわち、前記内側部材には、前記第１及び第２の保持部側に位置する側面に凹部が形成されている。このため、当該内側部材を、前記両棒状部材間に配置する際、及び両棒状部材に沿って移動する際には、ガイドとして作用する。
【００１４】
さらに、請求項３の連結具では、前記内側部材を前記外側部材の内側に配設した状態で、前記第１及び第２の保持部側に位置する前記外側部材の内側面を、前記両保持部に保持された各棒状部材の周面に沿った湾曲状に形成した。
【００１５】
すなわち、前記外側部材には、前記第１及び第２の保持部側に位置する内側面が湾曲状に形成されている。このため、当該外側部材を、前記両棒状部材に外嵌した状態、及び両棒状部材に沿って移動する際には、ガイドとして作用する。
【００１６】
加えて、請求項４の連結具にあっては、前記内側部材を前記外側部材の内側に配置した状態で、当該内側部材の移動を規制する規制手段を設けた。
【００１７】
これにより、前記外側部材の内側に配置された内側部材の不用意な移動が防止される。
【００１８】
そして、本発明の請求項５のペット用包囲具にあっては、複数のパネルの組み合わせからなり、隣接して配置された一方のパネルの縁部を形成する第１の棒状部材と、他方のパネルの縁部を形成する第２の棒状部材とが連結具により連結されたペット用包囲具において、前記連結具を、前記両棒状部材の外周部に遊嵌するとともに、両棒状部材を挿通する挿通部が開口した外側部材と、前記両棒状部材間に配置され、両棒状部材に沿って移動して前記外側部材の内側に配設した状態で、該外側部材の内側空間を、前記第１の棒状部材を保持する第１の保持部と前記第２の棒状部材を保持する第２の保持部とに区画する内側部材と、により構成した。
【００１９】
すなわち、パネルを連結してペット用包囲具を形成する際には、連結するパネル同士を隣接して配置する。そして、一方のパネルの縁部を形成する第１の棒状部材と、他方のパネルの縁部を形成する第２の棒状部材との両者の側部に、外側部材を配置するとともに、該外側部材の挿通部より両棒状部材を挿通して、当該外側部材を前記両棒状部材の外周部に遊嵌する。
【００２０】
一方、前記両棒状部材の他の部位において、両棒状部材間に内側部材を配置する。そして、この内側部材を、両棒状部材に沿って移動して、前記外側部材の内側に配設し、前記外側部材の内側空間を、前記第１の棒状部材を保持する第１の保持部と、前記第２の棒状部材を保持する第２の保持部とに区画する。
【００２１】
なお、本発明において、内側部材を、「両棒状部材に沿って移動して前記外側部材の内側に配設する」なる記載は、内側部材が両棒状部材間にて移動できるように配置されることを意味するものであり、外側部材を内側部材側へ移動して当該外側部材の内側に内側部材を配設しても良い。
【００２２】
これにより、前記第１の棒状部材は、前記外側部材と内側部材との間に形成される第１の保持部に保持される。また、前記第２の棒状部材は、前記外側部材と内側部材との間に形成される第２の保持部に保持される。
【００２３】
また、請求項６のペット用包囲具においては、前記内側部材を前記外側部材の内側に配設した状態で、前記第１及び第２の保持部側に位置する前記内側部材の側面に、前記両保持部に保持された各棒状部材に沿って延在する凹部を設けた。
【００２４】
すなわち、前記内側部材には、前記第１及び第２の保持部側に位置する側面に凹部が形成されている。このため、当該内側部材を、前記両棒状部材間に配置する際、及び両棒状部材に沿って移動する際には、ガイドとして作用する。
【００２５】
さらに、請求項７のペット用包囲具では、前記内側部材を前記外側部材の内側に配設した状態で、前記第１及び第２の保持部側に位置する前記外側部材の内側面を、前記両保持部に保持された各棒状部材の周面に沿った湾曲状に形成した。
【００２６】
すなわち、前記外側部材には、前記第１及び第２の保持部側に位置する内側面が湾曲状に形成されている。このため、当該外側部材を、前記両棒状部材に外嵌した状態、及び両棒状部材に沿って移動する際には、ガイドとして作用する。
【００２７】
加えて、請求項８のペット用包囲具においては、前記内側部材を前記外側部材の内側に配置した状態で、当該内側部材の移動を規制する規制手段を設けた。
【００２８】
これにより、前記外側部材の内側に配置された内側部材の不用意な移動が防止される。
【００２９】
【発明の実施の形態】
以下、本発明の一実施の形態を図にしたがって説明する。図１は、本実施の形態にかかる連結具１，・・・の一使用例を示すものであり、ペット用包囲具である折り畳み式のペットケージ２が示されている。
【００３０】
このペットケージ２は、合成樹脂によって長方形容器状に形成されたトレイ１１を備えている。該トレイ１１の前方に位置する短辺１２上縁には、正面パネル１３の下縁部が回動自在に支持されており、該正面パネル１３をケージ内側へ折り畳めるように構成されている。前記正面パネル１３には、扉１４により開閉される出入口が設けられており、当該正面パネル１３の上縁部には、後述する天面パネル１５に係脱自在に係合するストッパー１６がスライド自在に設けられている。
【００３１】
また、前記トレイ１１の後方に位置する短辺２１上縁には、背面パネル２２の下縁部が回動自在に支持されており、該背面パネル２２をケージ内側へ折り畳めるように構成されている。この背面パネル２２の上縁部にも、前記天面パネル１５に係脱自在に係合するストッパー２３がスライド自在に設けられており、起立状態を維持できるように構成されている。
【００３２】
さらに、前記トレイ１１の左右に位置する各長辺３１，３２上縁には、側面パネル３３，３３の下縁部が回動自在に支持されており、該側面パネル３３をケージ内側へ折り畳めるように構成されている。前記両側面パネル３３は、その両端部を前記正面パネル１３及び前記背面パネル２２に係止できるように構成されており、側面パネル３３を正面パネル１３及び背面パネル２２に係止した状態で、ケージ本体３４を形成できるように構成されている。
【００３３】
前記両側面パネル３３，３３のそれぞれは、図２（Ｃ側は断面図を示し、Ｄ側は側面図を示す）にも示すように、略中間部より上方を形成する上部構成部４１と、下方を形成する下部構成部４２とにより形成されており、該下部構成部材４２の上縁４３と前記上部構成部材４１の下縁４４は、前記連結具１，１を介して回動自在に連結されている。前記両側面パネル３３，３３の上縁４５には、前記天面パネル１５の側縁４６が連結具１，１を介して回動自在に連結されており、両側面パネル３３，３３間には、前記天面パネル１５が架橋した状態で設けられている。
【００３４】
前記各パネル１３，２２，３３，３３と前記上部及び下部構成部材４１，４２は、円筒棒状のスチール線が矩形枠状に折曲されてなる枠体５１を備えてなり、該枠体５１の内側には、円筒棒状のスチール線からなる縦桟部５２及び横桟部５３が格子状に組まれた状態で延設されている（図２中に上部及び下部構成部材４１，４２のみ図示）。この各パネル１３，２２，３３，３３には、前記縦桟部５２が下方へ延出されてなる脚部５４，・・・が形成されている。該脚部５４の下端部は、リング状に屈曲されており、前記トレイ１１に沿って配設されたシャフト５５が貫通する被係止部５６が形成されている。
【００３５】
前記連結具１は、図３に示すように、例えば前記上部構成部材４１の下縁４４を構成する第１の棒状部材であるスチール線６１と、前記下部構成部材４２の上縁４３を形成する第２の棒状部材としてのスチール線６２とを連結するものである。この連結具１は、前記上縁４３を形成するスチール線６２及び前記下縁４４を形成するスチール線６１の外周部に遊嵌する（図８参照）外側部材６３と、前記両スチール線６１，６２の間に配置された状態で、前記外側部材６３の内側に配設され、この状態において、前記外側部材６３の内側空間６４を、前記下縁４４を形成するスチール線６１を保持する第１の保持部６５と、前記上縁４３を形成するスチール線６２を保持する第２の保持部６６とに区画する内側部材６７とにより構成されている。
【００３６】
前記外側部材６３は、矩形状の金属板の対向した縁部が、一方の面側（図３中下方側）に屈曲形成されてなり、基部７１の両端には、図４にも示すように、一方の面側に起立した起立壁７２，７２が形成されている。これにより、両起立壁７２，７２の間には、前記スチール線６１，６２を挿通する挿通部７３が形成されており、その開口幅は、前記スチール線６１，６２の直径の二倍以上、すなわち、両スチール線６１，６２を並設した状態で挿通できる寸法に設定されている。前記起立壁７２は、その中央部が外側に突出した断面円弧状に形成されており、内側面は、円筒状に形成された前記スチール線６１，６２の周面に適合する湾曲面７４，７４を形成している。そして、前記基部７１の中央部には、円形の係止穴７５が開設されている。
【００３７】
一方、前記内側部材６７は、合成樹脂により形成されており、前記外側部材６３に適合した長さ寸法を有している。この内側部材６７には、前記外側部材６３の内側に配設された状態で、前記第１及び第２の保持部６５，６６側に位置する側面に、前記両保持部６５，６６に保持された各スチール線６１，６２に沿って延在する凹部８１，８１が形成されている。この凹部８１は、断面円弧状に形成されており、前記外側部材６３の湾曲面７４と共に断面円形の保持部６５，６６を形成できるように構成されている。
【００３８】
また、前記内側部材６７の上面９１中央には、図５に示すように、円形の係止凸部９２が突設されており、該係止凸部９２は、前記外側部材６３内に配置された際に（図３参照）、前記基部７１の係止穴７５に内嵌した状態で係止されるように構成されている。これら係止凸部９２及び係止穴７５によって、前記内側部材６７を前記外側部材６３の内側に配置した状態で、当該内側部材６７の移動を規制する規制手段９３が構成されている。そして、この係止凸部９２には、中央に向かうに従って高くなる案内面９４，９４が、当該内側部材６７の長さ方向両側部に形成されている。さらに、前記内側部材６７の下面９５の幅寸法は、前記上面９１の幅寸法より幅広に設定されており、前記外側部材６３内に配置された状態で、該外側部材６３の前記挿通部７３を閉鎖できるように構成されている。
【００３９】
この連結具１により連結されるスチール線６１，６２は、断面円形状の第１及び第２の保持部６５，６６に保持されるため、当該連結具１は、スチール線６１，６２を中心とした回動が許容されている。このため、この連結具１により連結された前記上部構成部材４１と下部構成部材４２、及びこれらからなる側面パネル３３，３３と天面パネル１５は、その連結部分において、折り畳み自在となっている。
【００４０】
これにより、図６に示すように、正面パネル１３のストッパー１６を下方へスライドして当該正面パネル１３をケージ内方へ折り畳むとともに、背面パネル２２のストッパー２３を下方へスライドして当該背面パネル２２をケージ内方へ折り畳んだ後、図７に示すように、天面パネル１５を下方へ移動した際に、側面パネル３３，３３が前記上部構成部材４１と下部構成部材４２との間で中折れし、ケージ本体３４をトレイ１１上に折り畳めるように構成されている。
【００４１】
以上の構成にかかる本実施の形態において、上部構成部４１と下部構成部４２とを結合して側面パネル３３を形成する際には、図８に示すように、上部構成部材４１の下縁４４を形成するスチール線６１と、下部構成部材４２の上縁４３を形成するスチール線６２とを隣接して配置する。そして、両スチール線６１，６２の側部に外側部材６３を配置するとともに、該外側部材６３の挿通部７３より前記両スチール線６１，６２を挿通して、当該外側部材６３を前記両スチール線６１，６２の外周部に遊嵌する。
【００４２】
このとき、この外側部材６３の基部７１より起立した起立壁７２，７２の内側面は、前記スチール線６１，６２の周面に適合した湾曲面７４，７４を形成している。このため、この湾曲面７４，７４を、前記両スチール線６１，６２の位置決めに利用することができる。
【００４３】
一方、前記両スチール線６１，６２の他の部位において、両スチール線６１，６２間に内側部材６７を配置する。このとき、該内側部材６７の側面には、凹部８１，８１が形成されており、この凹部８１は、断面円弧状に形成されている。このため、両側に配置されたスチール線６１，６２を前記凹部８１，８１に位置決めすることができる。
【００４４】
そして、この内側部材６７を、両スチール線６１，６２に沿って移動して、前記外側部材６３の内側へ挿入し、前記外側部材６３の内側空間６４を、図３に示したように、前記スチール線６１を保持する第１の保持部６５と、前記スチール線６２を保持する第２の保持部６６とに区画する。
【００４５】
これにより、前記下縁４４を形成するスチール線６１を、前記外側部材６３と内側部材６７との間に形成される第１の保持部６５内に回動自在に保持することができる。また、前記上縁４３を形成するスチール線６２を、前記外側部材６３と内側部材６７との間に形成される第２の保持部６６内に回動自在に保持することができる。
【００４６】
このように、両スチール線６１，６２に外側部材６３を外嵌するとともに、両スチール線６１，６２間に内側部材６７を配置した後、この内側部材６７を前記外側部材６３の内部へ移動するだけで、前記両スチール線６１，６２同士を連結することができ、両スチール線６１，６２により上縁４３及び下縁４４が形成された上部構成部材４１と下部構成部材４２とを折り畳み自在に結合することができる。
【００４７】
したがって、隣接したスチール線６１，６２同士を連結する際に、コイル状部材の開放端を両スチール線６１，６２に引っ掛けた後、この状態を維持したままコイル状部材を何回も回転させなければならなかった従来の連結具と比較して、連結作業を容易に行うことができる。
【００４８】
また、前記内側部材６７の側面には、凹部８１，８１が形成されており、当該内側部材６７を前記両スチール線６１，６２間に配置する際には、両スチール線６１，６２の位置決めに利用することができる。そして、当該内側部材６７を両スチール線６１，６２に沿って移動する際には、ガイドとして利用することができる。これにより、移動時の離脱に起因した不具合を未然に防止することができる。
【００４９】
なお、本実施の形態では、内側部材６７を両スチール線６１，６２に沿って移動した場合について説明したが、外側部材６３を内側部材６７側へ移動しても良い。この場合、前記外側部材６３の基部７１より起立した起立壁７２，７２の内側面は、前記スチール線６１，６２の周面に適合した湾曲面７４，７４を形成している。このため、当該外側部材６３を両スチール線６１，６２に沿って移動する際には、ガイドとして利用することができる。これにより、移動時の離脱に起因した不具合を未然に防止することができる。
【００５０】
そして、前記内側部材６７の上面９１には、円形の係止凸部９２が突設されているとともに、前記外側部材６３の基部７１には、前記係止凸部９２が内嵌される係止穴７５が設けられており、前記係止凸部９２が前記係止穴７５に内嵌することによって内側部材６７の外側部材６３からの離脱が防止される。これにより、前記外側部材６３と内側部材６７による前記両スチール線６１，６２の保持状態を維持することができるので、両スチール線６１，６２の連結状態の不用意な解除、すなわち、ケージ本体３４の不用意な分解を確実に防止することができる。
【００５１】
さらに、前記係止凸部９２には、中央に向かうに従って高くなる案内面９４，９４が、当該内側部材６７の長さ方向両側部に形成されている。これにより、当該係止凸部９２と前記外側部材６３端部との干渉を緩和することができ、取り付け作業性を向上することができる。
【００５２】
なお、本実施の形態にあっては、本発明の連結具１を、ペットケージ２のパネル１５，３３同士の連結に利用した場合を例に挙げて説明したが、これに限定されるものではなく、例えば、建築物において利用しても良い。
【００５３】
また、底部を有しないフェンスの連結に利用しても良い。
【００５４】
【発明の効果】
以上説明したように、本発明の請求項１の連結具にあっては、隣接する第１及び第２の棒状部材に外側部材を外嵌するとともに、両棒状部材間に内側部材を配置した後、この内側部材を前記外側部材の内部へ移動するだけで、前記両棒状部材同士を連結することができる。
【００５５】
したがって、隣接した棒状部材同士を連結する際に、コイル状部材の開放端を両棒状部材に引っ掛けた後、この状態を維持したままコイル状部材を何回も回転させなければならなかった従来の連結具と比較して、連結作業を容易に行うことができる。
【００５６】
また、請求項２の連結具においては、内側部材の側面に形成された凹部を、前記両棒状部材の位置決めに利用することができる。また、当該内側部材を両棒状部材に沿って移動する際には、ガイドとして利用することができる。これにより、移動時の離脱に起因した不具合を未然に防止することができる。
【００５７】
さらに、請求項３の連結具では、外側部材の内側面に形成された湾曲形状を、前記両棒状部材の位置決めに利用することができる。また、当該外側部材を両棒状部材に沿って移動する際には、ガイドとして利用することができる。これにより、移動時の離脱に起因した不具合を未然に防止することができる。
【００５８】
なお、前記内側部材に凹部が形成されている場合には、外側部材の内側面に形成された湾曲形状と内側部材に形成された凹部との間に、前記各棒状部材を保持することができる。
【００５９】
加えて、請求項４の連結具にあっては、前記外側部材の内側に配置された内側部材の不用意な移動を阻止することにより、前記外側部材と内側部材による棒状部材の保持状態を維持することができる。これにより、両棒状部材の連結状態の不用意な解除を未然に防止することができる。
【００６０】
一方、本発明の請求項５のペット用包囲具にあっては、隣接する第１及び第２の棒状部材に外側部材を外嵌するとともに、両棒状部材間に内側部材を配置した後、この内側部材を前記外側部材の内部へ移動するだけで、前記両棒状部材同士を連結することができ、これにより、ペット用包囲具を形成することができる。
【００６１】
したがって、隣接したパネルの縁部を形成する棒状部材同士を連結する際に、コイル状部材の開放端を両棒状部材に引っ掛けた後、この状態を維持したままコイル状部材を何回も回転させなければならなかった従来の連結具を用いたペットケージと比較して、連結作業を容易に行うことができる。
【００６２】
また、請求項６のペット用包囲具においては、内側部材の側面に形成された凹部を、前記両棒状部材の位置決めに利用することができる。また、当該内側部材を両棒状部材に沿って移動する際には、ガイドとして利用することができる。これにより、移動時の離脱に起因した不具合を未然に防止することができ、ペット用包囲具の形成を容易に行うことができる。
【００６３】
さらに、請求項７のペット用包囲具では、外側部材の内側面に形成された湾曲形状を、前記両棒状部材の位置決めに利用することができる。また、当該外側部材を両棒状部材に沿って移動する際には、ガイドとして利用することができる。これにより、移動時の離脱に起因した不具合を未然に防止することができ、ペット用包囲具の形成を容易に行うことができる。
【００６４】
なお、前記内側部材に凹部が形成されている場合には、外側部材の内側面に形成された湾曲形状と内側部材に形成された凹部との間に、前記各棒状部材を保持することができる。
【００６５】
加えて、請求項８のペット用包囲具においては、前記外側部材の内側に配置された内側部材の不用意な移動を阻止することにより、前記外側部材と内側部材による棒状部材の保持状態を維持することができる。これにより、両棒状部材の連結状態の不用意な解除を未然に防止することができ、パネルの不用意な外れを確実に防止することができる。
【図面の簡単な説明】
【図１】本発明の一実施の形態を示す斜視図である。
【図２】図１の側面を示す一部断面図である。
【図３】同実施の形態にかかる連結具を示す斜視図である。
【図４】（ａ）は、同実施の形態の外側部材を示す底面図であり、（ｂ）は、外側部材を示す側面図である。
【図５】（ａ）は、同実施の形態の内側部材を示す平面図であり、（ｂ）は、内側部材を示す側面図である。
【図６】同実施の形態のペットケージを折り畳む手順を示す説明図である。
【図７】図６に続く手順を示す説明図である。
【図８】同実施の形態の連結具にて隣接したスチール線を連結する状態を示す説明図である。
【図９】従来のペットケージ及び連結具を示す斜視図である。
【符号の説明】
１    連結具
２    ペットケージ
６１    スチール線
６２    スチール線
６３    外側部材
６４    内側空間
６５    第１の保持部
６６    第２の保持部
６７    内側部材
７３    挿通部
７４    湾曲面
７５    係止穴
８１    凹部
９２    係止凸部
９３    規制手段
【図１】
0004278842.tif 000002
【図２】
0004278842.tif 000003
【図３】
0004278842.tif 000004
【図４】
0004278842.tif 000005
【図５】
0004278842.tif 000006
【図６】
0004278842.tif 000007
【図７】
0004278842.tif 000008
【図８】
0004278842.tif 000009
【図９】
0004278842.tif 000010